(57)【要約】【課題】ケーブル接続等の作業を必要とせず、簡単且つ適切にコンテンツデータを他の機器に送信することができる通信システムを提供すること。【解決手段】デジタルカメラ１において、近接通信部１９は、外部機器９が定期的に送出している通信信号の受信時にアンテナに生じる電磁誘導によって制御部２１を起動する起動部２０を備えている。画像表示制御部２１１は、外部機器９との間で通信が確立した場合に、記録部１７に記録されている撮影画像の中から送信対象の撮影画像を選択して表示部１５に表示する処理を行う。送信制御部２１３は、送信対象の撮影画像を外部機器９に送信する処理を行う。【選択図】図７
2010045686.tif 000002
【特許請求の範囲】
【請求項１】
第１の機器と第２の機器とが近距離無線通信を行ってコンテンツデータを送受する通信システムであって、
前記第１の機器は、
コンテンツデータを記録する記録部と、
前記第２の機器との間で近接無線通信を行う近接通信部と、
前記第２の機器から送出される通信信号の受信によって当該第１の機器を起動する起動部と、
前記第２の機器との間で通信が確立した場合に、所定のコンテンツデータを表示部に表示処理する表示制御部と、
前記表示処理された所定のコンテンツデータを、前記近接通信部を介して前記第２の機器に送信処理する送信制御部と、
を備え、
前記第２の機器は、
前記第１の機器との間で近接無線通信を行う近接通信部と、
前記近接通信部を介して定期的に通信信号を送出処理する送出制御部と、
を備え、前記第１の機器から送信されたコンテンツデータを、前記近接通信部を介して受信することを特徴とする通信システム。
【請求項２】
前記第１の機器は、
前記所定のコンテンツデータの送信開始を指示する送信指示部を備え、
前記送信制御部は、前記送信指示部によって送信開始が指示された場合に、前記表示処理された所定のコンテンツデータを前記第２の機器に送信することを特徴とする請求項１に記載の通信システム。
【発明の詳細な説明】
【技術分野】
【０００１】
本発明は、コンテンツデータを送受する通信システムに関するものである。
【背景技術】
【０００２】
近年、パソコンの普及やテレビの大画面化に伴い、デジタルカメラで撮影した画像をパソコンやテレビに表示させて楽しむユーザが増えている。また、この他にも、デジタルカメラで撮影した画像が蓄積されたメモリカード等の記録媒体から画像を読み出して専用の表示装置に表示するデジタルフォトフレームが実用化されている。
【０００３】
また、ネットワークを介して外部機器に画像データを送信するようにした撮像装置が開示されている（特許文献１を参照）。
【０００４】
【特許文献１】特開２００１−２３８１１４号公報
【発明の開示】
【発明が解決しようとする課題】
【０００５】
しかしながら、上記のようにデジタルカメラで撮影した撮影画像をテレビ等の表示装置に送信して表示させる場合には、その都度デジタルカメラを表示装置とケーブル接続する等の作業が必要であり、手間であった。また、特許文献１の技術のようにネットワークを介して画像データを送信する場合であっても、デジタルカメラの電源がＯＦＦ状態の場合には、電源投入操作を先ず行い、その後送信する撮影画像を表示部に表示させて確認しながら選択するといった操作を行わなければならなかった。
【０００６】
本発明は、上記に鑑みてなされたものであって、ケーブル接続等の作業を必要とせず、簡単且つ適切にコンテンツデータを他の機器に送信することができる通信システムを提供することを目的とする。
【課題を解決するための手段】
【０００７】
上述した課題を解決し、目的を達成するため、本発明にかかる通信システムは、第１の機器と第２の機器とが近距離無線通信を行ってコンテンツデータを送受する通信システムであって、前記第１の機器は、コンテンツデータを記録する記録部と、前記第２の機器との間で近接無線通信を行う近接通信部と、前記第２の機器から送出される通信信号の受信によって当該第１の機器を起動する起動部と、前記第２の機器との間で通信が確立した場合に、所定のコンテンツデータを表示部に表示処理する表示制御部と、前記表示処理された所定のコンテンツデータを、前記近接通信部を介して前記第２の機器に送信処理する送信制御部と、を備え、前記第２の機器は、前記第１の機器との間で近接無線通信を行う近接通信部と、前記近接通信部を介して定期的に通信信号を送出する送出処理部と、を備え、前記第１の機器から送信されたコンテンツデータを、前記近接通信部を介して受信することを特徴とする。
【０００８】
また、本発明にかかる通信システムは、上記の発明において、前記第１の機器は、前記所定のコンテンツデータの送信開始を指示する送信指示部を備え、前記送信制御部は、前記送信指示部によって送信開始が指示された場合に、前記表示処理された所定のコンテンツデータを前記第２の機器に送信することを特徴とする。
【発明の効果】
【０００９】
本発明によれば、第２の機器から送出される通信信号の受信によって第１の機器を起動するとともに、所定のコンテンツデータを表示部に表示処理し、表示処理された所定のコンテンツデータを第２の機器に送信処理することができる。したがって、ケーブル接続等の作業を必要とせず、簡単且つ適切にコンテンツデータを他の機器に送信することができる。
【発明を実施するための最良の形態】
【００１０】
以下、図面を参照し、本発明を適用した通信システムの好適な実施の形態について詳細に説明する。なお、この実施の形態によって本発明が限定されるものではない。また、各図面の記載において、同一部分には同一の符号を付して示している。本実施の形態の通信システムは、第１の機器であるデジタルカメラと第２の機器である外部機器とで構成され、近距離無線通信を行ってコンテンツデータの送受を行うものである。具体的には、この通信システムは、電源がＯＮ状態であり、定期的に通信信号を送出している外部機器と、電源がＯＦＦ状態のデジタルカメラとが近づけられた場合に、デジタルカメラの電源を投入して起動し、デジタルカメラに記録されている撮影画像を外部機器に送信するものである。
【００１１】
（実施の形態）
図１は、本実施の形態のデジタルカメラ１の前面側を示す概略斜視図であり、図２は、デジタルカメラ１の背面側を示す概略斜視図である。図１に示すように、デジタルカメラ１は、カメラ本体３の前面に撮像レンズ４が配設され、この撮像レンズ４を通して入射する被写体像を撮像する撮像部１１（図７を参照）をカメラ本体３の内部に備えている。一方、カメラ本体３の上面には、撮影タイミングを指示するためのレリーズスイッチ５が配設されている。そして、カメラ本体３の背面には、各種画面を表示する表示部１５、電源投入やモードの選択といった各種操作を入力するための固有の機能が割り当てられた複数のボタンスイッチ７等が配設されている。また、カメラ本体３の前面側からみて左側の端部部分がユーザの右手により保持されるグリップ部８を形成しており、上面のレリーズスイッチ５や背面のボタンスイッチ７は、グリップ部８を保持した状態で操作可能な位置に配置されている。
【００１２】
また、表示部１５には、その画面（表示領域）全域に亘ってタッチパネル１６が一体的に形成されており、このタッチパネル１６によって、画面上の位置を直接的に指定することができるようになっている。
【００１３】
そして、デジタルカメラ１の電源を投入（ＯＮ）し、撮影モードを選択すると、デジタルカメラ１は撮影可能な状態となり、撮像レンズ４を通して入射する被写体像がライブビュー画像としてリアルタイムに表示部１５に表示されるようになっている。ユーザは、グリップ部８を保持してカメラ本体３を構え、表示部１５のライブビュー画像を見ながらレリーズスイッチ５を押下して撮影を行い、あるいは撮影した画像を表示部１５に表示（再生）して楽しむ。
【００１４】
このデジタルカメラ１は、図１に示すように、カメラ本体３のグリップ部８が形成された端部と反対の端部側において、外部機器に具備される近接通信部と近接無線通信を行うための近接通信部１９を内蔵している。
【００１５】
図３は、デジタルカメラ１と外部機器９とが通信を行う様子を側面側から示した説明図であり、図３では、外部機器９をノートパソコンとして例示している。デジタルカメラ１の近接通信部１９は、そのアンテナがカメラ本体３の前面側に配置されるように具備される。一方、外部機器９であるノートパソコンの近接通信部９６は、そのアンテナがキーボード面側に配置されるように設けられており、互いに通信可能圏内に近接されると、デジタルカメラ１と外部機器９との間で通信が確立されるようになっている。このように、本実施の形態では、近接通信部１９の配置によって通信時のカメラ本体３の前後方向の姿勢を規定している。すなわち、外部機器９のキーボード面に対してカメラ本体３の前面側を対向させた状態でデジタルカメラ１を外部機器９に近づけると通信が確立される一方、外部機器９のキーボード面に対してカメラ本体３の背面側を近づけても通信が確立されない。また、ユーザにとっては、撮影時や再生時と同様の要領でカメラ本体３のグリップ部８を保持して外部機器９に近づければよく、デジタルカメラ１の表示部１５が見える状態で、かつ外部機器９の表示部９２も見える状態で通信が行える。これにより、通信の際、表示部１５，９２の表示によって送受信の成否や送受したデータの内容等を容易に目視確認することができる。
【００１６】
また、外部機器９は、ノートパソコン（パソコン）の他、テレビ、携帯電話機、デジタルフォトフレーム、プリンタ等を想定している。図４は、デジタルカメラ１とテレビ９ａとが通信を行う様子を側面側から示した説明図である。図４に示すように、テレビ９ａの近接通信部９６ａは、表示部９２ａが配設される前面にアンテナが配置されるように設けられている。そして、この近接通信部９６ａとデジタルカメラ１の近接通信部１９とが互いに通信可能圏内に近接されると、デジタルカメラ１とテレビ９ａとの間で通信が確立される。したがって、デジタルカメラ１の表示部１５が見える状態で、かつテレビ９ａの表示部９２ａも見える状態で通信が行える。
【００１７】
図５および図６は、デジタルカメラ１と外部機器９との間で行われる通信の概要を説明する図である。本実施の形態では、デジタルカメラ１は、外部機器９から送出される通信信号を受信して自機を起動し、自機に記録されているコンテンツデータの一例である所定の撮影画像を表示部１５に表示する処理と、表示した撮影画像のデータを外部機器９に送信する処理とを行う。
【００１８】
図５に示すように、デジタルカメラ１は、外部機器９が送出している通信信号を受信し、自機の電源を投入した後（ａ１１）、外部機器９に受信を通知する（ａ１３）。これによって、デジタルカメラ１と外部機器９との間で通信が確立する。通信を確立した外部機器９は、デジタルカメラ１に通信確立を通知し（ａ１５）、これに応答してデジタルカメラ１は、自機に記録されている所定の撮影画像を送信対象として選択し、表示部１５に表示する。例えば、撮影日時が最新の撮影画像を選択して表示する。あるいは、再生モードにおいて最先に再生した撮影画像を選択して表示するようにしてもよい。また、ユーザ操作に従って撮影画像を選択・表示することとしてもよい。
【００１９】
そして、デジタルカメラ１は、このようにして表示部１５に撮影画像を表示した状態において外部機器９との間で通信が確立した場合に、図６に示すように、受信要求を外部機器９に送信する（ａ２１）。そして、この受信要求を受信した外部機器９は、デジタルカメラ１に待機状態を通知する（ａ２３）。これに応答してデジタルカメラ１は、表示中の撮影画像のデータを外部機器９に送信し（ａ２５）、外部機器９は、この撮影画像のデータを受信する。
【００２０】
図７は、通信システム１００を構成するデジタルカメラ１および外部機器９の主要内部構成の一例を示すブロック図である。図７に示すように、デジタルカメラ１は、撮像部１１、画像処理部１２、変位検出部１３、操作部１４、表示部１５、タッチパネル１６、記録部１７、時計部１８、近接通信部１９、制御部２１等を備える。
【００２１】
撮像部１１は、撮像レンズ４を通して入射する被写体像を光電変換し、アナログ電気信号を出力するＣＣＤ（Charge Coupled Device）やＣＭＯＳ（Complementary Metal Oxide Semiconductor）等の撮像素子を含み、撮像素子からのアナログ電気信号をデジタル電気信号に変換して画像データを出力する。
【００２２】
画像処理部１２は、撮像部１１から出力された画像データに対して各種の画像処理を施すとともに、記録用や表示用に適した画像データに変換する処理を行う。例えば、撮影画像の画像データを記録する際、あるいは記録されている画像データを表示する際等に、ＪＰＥＧ（Joint Photographic Experts Group）方式等に基づく画像データの圧縮処理や伸張処理を行う。
【００２３】
変位検出部１３は、カメラ本体３の変位を検出するためのものであり、カメラ本体３に生じる加速度を検出する公知の加速度センサや、カメラ本体３が回転したときの角速度を検出する公知の角速度センサ等で実現される。なお、従来から、手ぶれによる画像ぶれを補正するために角速度センサや加速度センサを備えたデジタルカメラが知られており、このようなデジタルカメラに適用する場合には、新たな構成を追加することなくカメラ本体３の変位を検出することができる。
【００２４】
図８は、変位検出部１３によるカメラ本体３の変位検出を説明するための図である。図８に示すように、例えば、デジタルカメラ１の光学系（撮像レンズ４）の光軸方向をＺ軸方向とし、Ｚ軸方向に垂直な平面（撮像素子の撮像面）をＸＹ平面として各軸方向を定義する。ここで、Ｘ，Ｙ，Ｚ軸は、デジタルカメラ１に固定されたローカルな座標軸であり、カメラ本体３の姿勢とは無関係である。変位検出部１３は、Ｘ，Ｙ，Ｚ軸の各軸方向の加速度を個別の加速度センサや３軸の加速度センサによって検出し、Ｘ，Ｙ，Ｚ軸の各軸回りの角速度を個別のジャイロ等によって検出する。そして、変位検出部１３は、加速度センサの検出結果をもとにカメラ本体３の移動量を検出するとともに、角速度センサの検出結果をもとにカメラ本体３の回転量を検出し、カメラ本体３の変位として検出する。
【００２５】
図９，図１０−１〜３は、加速度センサを用いたカメラ本体３の移動量の検出原理の一例を説明する図である。図９に示すように、加速度センサは、チップ表面に固定された固定電極２２１，２２３と、この固定電極２２１，２２３上に架橋され、加速度に起因して矢印Ａ４の方向に移動する可動電極２２５とを有する。そして、固定電極２２１と可動電極２２５との間の静電容量の変化および固定電極２２３と可動電極２２５との間の静電容量の変化を検出して加速度を検出する。この加速度センサの出力（図１０−１）を積分することで速度が得られ（図１０−２）、さらに積分することで移動量が得られる（図１０−３）。また、図１１，図１２は、角速度センサを用いたカメラ本体３の回転量の検出原理の一例を説明する図である。図１１に示すように、角速度センサは、圧電セラミック素子が形成された一対の振動体２３１，２３３を有し、この振動体２３１，２３３を図１１中に示す振動方向に振動させた状態で、コリオリ力を利用して角速度を検出するものである。そして、この角速度センサの出力を積分することで回転量が得られる（図１２）。
【００２６】
図７に示す操作部１４は、撮影の開始指示、撮影モードや再生モードといったモードの選択操作、撮影条件の設定操作等、ユーザによる各種操作を受け付けて操作信号を制御部２１に通知するためのものである。この操作部１４は、図１のレリーズスイッチ５やボタンスイッチ７を含む。
【００２７】
表示部１５は、撮影画像やライブビュー画像の他、デジタルカメラ１の各種設定情報等を表示するためのものであり、ＬＣＤ（Liquid Crystal Display）やＥＬディスプレイ（Electroluminescence Display）等の表示装置で実現される。この表示部１５には、撮影モード中は例えば１フレーム毎にライブビュー画像が再描画されて動画的に連続表示され、再生モード中は撮影画像が表示される。
【００２８】
また、デジタルカメラ１は、操作部１４とは別に、表示部１５の画面上に形成され、手指や専用のスタイラスペン等によるタッチ操作によって各種の操作入力を行うタッチパネル１６を備える。このタッチパネル１６は、感圧式や光学式、静電容量式、電磁誘導式等の検出原理によってタッチ操作位置を例えば画面を構成するドット単位で検出するものであり、タッチ操作された表示部１５上の位置を感知し、タッチ操作位置の位置座標を検出して制御部２１に出力する。
【００２９】
図１３および図１４は、タッチパネル１６の検出原理の一例を説明する図である。図１３に示すように、タッチパネル１６は、それぞれ帯状の透明抵抗膜１６２，１６４が形成された２枚の透明フィルム１６１，１６３を有しており、その透明抵抗膜１６２，１６４が互いに直交するように透明フィルム１６１，１６３が対向配置されて構成されている。そして、図１４に示すように、タッチパネル１６が押圧（タッチ）されて透明抵抗膜１６２，１６４が接触するとこれらの間が導通するようになっており、この導通位置をタッチ操作位置として検出する。
【００３０】
記録部１７は、デジタルカメラ１を動作させ、このデジタルカメラ１が備える種々の機能を実現するための各種のカメラプログラムや、このカメラプログラムの実行中に使用されるデータ等を記録しておくためのものであり、撮影画像の画像データ等を記憶しておくためのものである。例えば、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜採用して用いることができる。
【００３１】
この記録部１７には、外部機器データ１７１が記録される。外部機器データ１７１は、予めユーザが通信相手として指定した外部機器を識別するためのものであり、例えば製造時等において外部機器に固有に割り当てられる製造番号等の外部機器ＩＤと、その送信種別とが設定される。送信種別とは、その外部機器に対して１枚の撮影画像を送信するのか複数枚の撮影画像を送信するのかを識別するための情報である。例えばパソコン等のように多数の撮影画像を送信して記録（バックアップ）しておきたい外部機器の外部機器ＩＤと対応付けて、複数枚の撮影画像を送信する送信種別を設定しておく。また、テレビやプリンタ等の外部機器に対しては、１枚ずつ撮影画像を送信する送信種別を設定しておく。これにより、テレビに対して１枚ずつ所望の撮影画像を表示させたり、プリンタから１枚ずつ所望の撮影画像を印刷させたりといったことが可能となる。
【００３２】
時計部１８は、日付および時刻を計時するためのものである。この時計部１８が計時する現在時刻によって、撮影画像の撮影日および撮影時刻が特定され、撮影画像は、撮影日および撮影時刻とともに記録部１７に記録されるようになっている。
【００３３】
近接通信部１９は、外部機器９との間で近接無線通信を行うためのものであり、アンテナによって外部機器９の近接通信部９６との間で電波信号を送受信し、受信信号を復調処理するとともに、送信信号を変調処理する送受信回路等で構成される。この近接通信部１９は、アンテナに生じた電磁誘導によって、停止状態または待機状態にある制御部２１を起動する起動部２０を備えている。
【００３４】
制御部２１は、ＣＰＵ等で実現され、操作部１４からの操作信号等に応じて記録部１７からカメラプログラムを読み出して実行し、デジタルカメラ１を構成する各部に対する指示やデータの転送等を行ってデジタルカメラ１の動作を統括的に制御する。この制御部２１は、表示制御部としての画像表示制御部２１１と、送信制御部２１３とを含み、上記したカメラプログラムは、制御部２１を画像表示制御部２１１および送信制御部２１３として機能させるためのプログラムを含む。画像表示制御部２１１は、外部機器９との間で通信が確立した場合に、記録部１７に記録されている撮影画像の中から送信対象の撮影画像を選択して表示部１５に表示する処理を行う。送信制御部２１３は、送信対象の撮影画像を外部機器９に送信する処理を行う。
【００３５】
一方、外部機器９は、図７に示すように、操作部９１、表示部９２、通信部９３、放送受信部９４、記録部９５、近接通信部９６、制御部９７等を備える。
【００３６】
操作部９１は、例えば、キーボードやマウス、リモコン、タッチパネル、各種スイッチ等の各種入力装置によって実現されるものであり、操作入力に応じた操作信号を制御部９７に出力する。テレビを視聴する場合には、操作部９１によってチャンネルの選択、音量の増減等の各種操作を入力する。表示部９２は、ＬＣＤやＥＬディスプレイ等の表示装置によって実現されるものであり、制御部９７から入力される表示信号に基づいて各種画面を表示する。
【００３７】
通信部９３は、インターネットへの接続等の処理を行うためのものであり、ネットワークＮを介して接続される他の装置との間でデータ通信を行う。ここで、ネットワークＮは、例えば、インターネットおよびインターネットに接続するための回線やＩＳＰサーバ等のことであり、各種通信回線と、それらを接続するインターネットプロバイダ等を含む。
【００３８】
放送受信部９４は、放送局から送出される放送番組の放送波を受信するためのものである。この放送受信部９４は、アンテナやチューナ等で構成され、アンテナによって受信された放送信号の中から選択されたチャンネルの信号を選局し、復調処理等の信号処理を行って放送番組の映像データおよび音データを制御部９７に出力する。
【００３９】
記録部９５は、外部機器９を動作させ、この外部機器９が備える種々の機能を実現するためのプログラムや、このプログラムの実行中に使用されるデータ等を記録しておくためのものであり、インターネットに接続する等して取得したコンテンツデータ、デジタルカメラ１から受信した撮影画像の画像データ等を記録しておくためのものである。この記録部９５は、更新記録可能なフラッシュメモリ等のＲＯＭやＲＡＭといった各種ＩＣメモリ、内蔵あるいはデータ通信端子で接続されたハードディスク、メモリカード等の情報記録媒体およびその読み書き装置等によって実現されるものであり、用途に応じた記録装置を適宜選択して用いることができる。
【００４０】
近接通信部９６は、デジタルカメラ１との間で近接無線通信を行うためのものであり、アンテナによってデジタルカメラ１の近接通信部１９との間で電波信号を送受信し、受信信号を復調処理するとともに、送信信号を変調処理する送受信回路等を備える。この近接通信部９６からは、その存在を報知する通信信号が定期的に送出されるようになっている。通信信号は、デジタルカメラ１の電源を投入するためのものである。ノートパソコン等を想定している外部機器９では、ＡＣ電源アダプタが利用でき、また充電池の充電容量が大きく、デジタルカメラ１と比較して電源的に有利である。このため、本実施の形態では、外部機器９から通信信号を定期的に送出することでデジタルカメラ１を自動的に電源投入できるようにしている。
【００４１】
制御部９７は、ＣＰＵ等で実現され、操作部９１から入力される操作信号、記録部９５に記録されるプログラムやデータ等に基づいて外部機器９を構成する各部への指示やデータの転送等を行い、外部機器９の動作を統括的に制御する。例えば、制御部９７は、デジタルカメラ１との間で通信が確立した後、デジタルカメラ１から送信される撮影画像の画像データを受信する処理を行い、あるいはデジタルカメラ１に対して記録部９５に記録されたコンテンツデータを送信する処理を行う。また、制御部９７は、放送受信部９４から入力された映像データの表示処理や、インターネットに接続して取得したコンテンツデータに基づく再生表示処理、デジタルカメラ１から送信された撮影画像の再生表示処理を行う。また、制御部９７は、放送受信部９４から入力された音データの出力処理や、インターネットに接続して取得したコンテンツデータに基づく音の再生処理、デジタルカメラ１から送信された音データの再生処理を行い、図示しないスピーカから出力させる。また、この制御部９７は、近接通信部９６を介して定期的に通信信号を送出する送出制御部としての通信信号送出制御部９７１を含む。
【００４２】
次に、デジタルカメラ１および外部機器９が行う具体的な処理手順について説明する。先ず、デジタルカメラ１の処理手順について説明する。本実施の形態のデジタルカメラ１は、電源が遮断された状態であっても、外部機器９から送出されている通信信号によって自動的に電源を投入し、データの送信処理を開始するようになっている。図１５は、送信処理の手順を示すフローチャートである。
【００４３】
図１５に示すように、デジタルカメラ１の近接通信部１９が外部機器９の近接通信部９６の通信可能圏内に近接されると、近接通信部９６が定期的に送出している通信信号の受信によって近接通信部１９のアンテナに電磁誘導が生じ、外部機器９との間で通信が確立する（ステップｂ１）。詳細にはこのとき、近接通信部１９の起動部２０が、アンテナに生じた電磁誘導によって制御部２１を起動し、デジタルカメラ１の電源がＯＮされる（ステップｂ３）。
【００４４】
このようにしてデジタルカメラ１の電源がＯＮされると、続いて制御部２１は、通信が確立した外部機器９の種別を判定する（ステップｂ５）。本実施の形態では、外部機器９において近接通信部９６が定期的に通信信号の送出を行っており、この通信信号に自機の外部機器ＩＤを含ませて送信している。制御部２１は、この通信信号によって取得される外部機器ＩＤをもとに、外部機器データ１７１を参照して通信が確立した外部機器９の送信種別を識別する。
【００４５】
そして、識別した送信種別に従い、外部機器９に対して１枚ずつ撮影画像を送信する場合には（ステップｂ７：Ｙｅｓ）、画像表示制御部２１１が、１枚の撮影画像を送信対象として選択し、再生処理を行って表示部１５に表示する（ステップｂ８）。そして、表示画像送信処理に移り（ステップｂ９）、その後ステップｂ１３に移行して、制御部２１は、近接通信部１９をＯＦＦする。一方、送信種別に従い、外部機器９に対して複数枚の撮影画像を送信する場合には（ステップｂ７：Ｎｏ）、記録画像送信処理に移り（ステップｂ１１）、その後ステップｂ１３に移行して、制御部２１は、近接通信部１９をＯＦＦする。
【００４６】
ここで、表示画像送信処理および記録画像送信処理について説明する。図１６は、表示画像送信処理の手順を示すフローチャートであり、図１７は、記録画像送信処理の手順を示すフローチャートである。
【００４７】
表示画像送信処理では、通信が確立した外部機器９に送信画像数を“１”として送信した後、先ず、図１６に示すように、送信可否判定処理を行う（ステップｄ３）。図１８は、送信可否判定処理の手順を示すフローチャートである。
【００４８】
送信可否判定処理では、先ず、変位検出部１３がカメラ本体３の変位を検出する（ステップｅ１）。そして、制御部２１は、送信指示部として、変位検出部１３による変位検出の結果をもとにカメラ本体３が予め設定された送信確認指示パターンに従って動かされたか否かを判定する。そして、制御部２１は、送信確認指示パターンに従ってカメラ本体３が動かされて送信確認指示があった場合には（ステップｅ３：Ｙｅｓ）、送信可と判定する（ステップｅ５）。そして、図１６のステップｄ３にリターンしてその後ステップｄ５に移る。一方、送信確認指示パターンに従ってカメラ本体３の動かされなければ（ステップｅ３：Ｎｏ）、送信不可と判定し（ステップｅ７）、図１６のステップｄ３にリターンしてその後ステップｄ５に移る。
【００４９】
ここで、送信確認指示パターンは、図８のＸ，Ｙ，Ｚ軸の各軸に対し正方向へと回転するカメラ本体３の変位や逆方向へと回転する変位、ＸＹ平面内において所定の方向へとスライドする変位、ＸＺ平面内において所定の方向へとスライドする変位またはＹＺ平面内において所定方向へとスライドする変位として、あるいはこれらを組み合わせて定義される。なお、送信確認指示については、送信確認指示パターンに従ったカメラ本体３の動きを検出する場合に限らず、例えば図２に示したボタンスイッチ７の押下操作やタッチパネル１６のタッチ操作等、適宜の手法で実現できる。また、所定の時間が経過した場合を送信確認指示があったと判定するようにしてもよい。
【００５０】
図１６のステップｄ５では、制御部２１は、送信可否判定処理の結果を判定する。そして、送信制御部２１３は、送信可と判定された場合であって（ステップｄ５：Ｙｅｓ）、通信が確立している場合に（ステップｄ７：Ｙｅｓ）、送信制御部２１３が、再生中の送信対象の撮影画像を表示要求とともに外部機器９に送信する処理を行う（ステップｄ９）。そして、図１５のステップｂ９にリターンする。
【００５１】
図１９は、外部機器９の送信種別が１枚ずつ撮影画像を送信する送信種別の場合に表示部１５に表示される送信画面の遷移例を示す図である。図１９に示すように、デジタルカメラ１の電源がＯＦＦの状態（ａ）でデジタルカメラ１が外部機器９に近づけられた場合であって、この外部機器９の送信種別が１枚ずつ撮影画像を送信する送信種別の場合には、表示部１５には、送信対象として選択された撮影画像Ｉ１１を再生表示した送信画面が表示される（ｂ）。この送信画面には、送信確認のメッセージＭ１１が表示されており、ユーザが、デジタルカメラ１を外部機器９に近づけた状態でカメラ本体３を送信確認指示パターンに従って動かすと、送信画面には、データの送信状態を示す送信マークＭＫ１１等が表示され（ｃ）、内部処理として再生中の撮影画像の送信処理が行われる。したがってユーザは、送信画面の表示内容を視認して送信確認をした上で、撮影画像のデータを外部機器９に送信することができる。これによれば、撮影画像を再生するだけでよく、簡単に且つ間違いなくデジタルカメラ１から外部機器９へと撮影画像のデータを送信することができる。
【００５２】
一方、図１６に示すように、送信不可と判定された場合（ステップｄ５：Ｎｏ）、あるいは通信が遮断されている場合には（ステップｄ７：Ｎｏ）、ステップｄ１１に移る。なお、デジタルカメラ１を外部機器９に近づけるように促すメッセージを表示部１５に表示する処理を行って所定時間（例えば２分）待機するようにしてもよい。そして、この所定時間内にデジタルカメラ１が外部機器９に近づけられて通信が確立した場合に、再生中の送信対象の撮影画像を外部機器９に送信するようにしてもよい。
【００５３】
ステップｄ１１では、再生する撮影画像の選択操作を受け付ける。そして、選択操作があれば（ステップｄ１１：Ｙｅｓ）、画像表示制御部２１１が、再生画像を選択された撮影画像に切り換えて表示部１５に表示する再生処理を行い（ステップｄ１３）、ステップｄ３に戻る。再生画像の選択操作がない場合には（ステップｄ１１：Ｎｏ）、終了操作を判定し、終了操作がなければ（ステップｄ１５：Ｎｏ）、ステップｄ３に戻る。終了操作があった場合には（ステップｄ１５：Ｙｅｓ）、図１５のステップｂ９にリターンする。
【００５４】
一方、記録画像送信処理では、送信画像数を計数して通信が確立した外部機器９に送信する。例えば、外部機器９に対して送信済みの撮影画像を記録しておき、未送信の撮影画像を送信対象としてその数を計数する。その後、図１７に示すように、先ず送信制御部２１３が、送信対象の撮影画像の有無を判定する。そして、送信制御部２１３は、送信対象の撮影画像がない場合には（ステップｃ１：Ｎｏ）、図１５のステップｂ１１にリターンする。
【００５５】
送信対象の撮影画像がある場合には（ステップｃ１：Ｙｅｓ）、画像表示制御部２１１が、所定の移動開始位置を先頭にして送信対象の撮影画像のサムネイルを配列させた送信画面（図２０を参照）を表示する処理を行う（ステップｃ３）。またこのとき、制御部２１が、タイマを起動して計時処理を開始する（ステップｃ５）。
【００５６】
続いて画像表示制御部２１１は、表示更新タイミングを判定し、表示更新タイミングであれば（ステップｃ７：Ｙｅｓ）、送信画面に配列させたサムネイルを所定の送信開始位置に向けて所定量移動させて表示更新する処理を行う（ステップｃ９）。
【００５７】
そして、送信開始位置にサムネイルがなければ（ステップｃ１１：Ｎｏ）、ステップｃ２５に移行する。送信開始位置にサムネイルがある場合には（ステップｃ１１：Ｙｅｓ）、送信制御部２１３が、タッチパネル１６からの出力によってタッチ操作の有無を判定する。そして、タッチ操作がなければ（ステップｃ１３：Ｎｏ）、ステップｃ２５に移行し、タッチ操作があった場合に（ステップｃ１３：Ｙｅｓ）、送信可否判定処理に移る（ステップｃ１５）。この送信可否判定処理は、図１８に示した処理手順と同様にして行われる。そして、送信制御部２１３は、送信可否判定処理の結果送信可と判定された場合であって（ステップｃ１７：Ｙｅｓ）、通信が確立している場合に（ステップｃ１９：Ｙｅｓ）、送信開始位置のサムネイルの撮影画像を記録要求とともに外部機器９に送信する処理を行う（ステップｃ２１）。続いて、画像表示制御部２１１が、送信した撮影画像を送信済みとし、そのサムネイル表示を消去する（ステップｃ２３）。
【００５８】
図２０は、外部機器９の送信種別が複数枚の撮影画像を送信する送信種別の場合に表示部１５に表示される送信画面の遷移例を示す図である。図２０に示すように、外部機器９の送信種別が複数枚の撮影画像を送信する送信種別の場合には、表示部１５には、デジタルカメラ１に記録されている撮影画像のサムネイルＳａ〜Ｓｅが移動表示されるようになっている（ａ）。この送信画面には、画面中央付近にマーカＭＫ２１が表示されており、このマーカＭＫ２１が指し示す位置を送信開始位置としている。各サムネイルＳａ〜Ｓｅは、例えば、画面に向かって右端側を移動開始位置とし、１列に配列されてマーカＭＫ２１が指し示す送信開始位置に向かって直線移動する。より詳細には、例えば、最新の撮影画像を先頭とし、撮影順に配列されて移動表示されるようになっている。そして、ユーザが、送信開始位置まで移動したサムネイルをタッチ操作すると、その撮影画像のデータが外部機器９に送信されるようになっている。例えば、図２０（ａ）に示す状態でサムネイルＳｂをタッチ操作すると、このサムネイルＳｂの撮影画像のデータを外部機器９に送信する内部処理が行われる。また、このとき、図２０（ｂ）に示すように、送信処理した撮影画像のサムネイルＳｂが送信画面下方に消失する演出表示が行われる。したがってユーザは、送信画面の表示内容を確認しながら所望の撮影画像を選択・送信確認をした上で、そのデータを外部機器９に送信することができる。これによれば、簡単で直感的な操作によって撮影画像を選択し、且つ間違いなくデジタルカメラ１から外部機器９へと撮影画像のデータを送信することができる。
【００５９】
一方、図１７に示すように、送信不可と判定された場合（ステップｃ１７：Ｎｏ）、あるいは通信が遮断されている場合には（ステップｃ１９：Ｎｏ）、ステップｃ２５に移る。
【００６０】
ステップｃ２５では、送信制御部２１３が、送信対象の撮影画像を全て送信したか否かを判定し、送信対象の撮影画像を全て送信した場合には（ステップｃ２５：Ｙｅｓ）、図１５のステップｂ１１にリターンする。一方、送信していない場合には（ステップｃ２５：Ｎｏ）、タイマの計時が所定時間（例えば５分）を超過しているか否かを判定する。そして、超過していない場合であって（ステップｃ２７：Ｎｏ）、終了操作がない場合には（ステップｃ２９：Ｎｏ）、ステップｃ７に戻る。また、超過している場合や（ステップｃ２７：Ｙｅｓ）、終了操作があった場合には（ステップｃ２９：Ｙｅｓ）、図１５のステップｂ１１にリターンする。
【００６１】
次に、デジタルカメラ１の基本処理の手順について説明する。図２１は、デジタルカメラ１が行う基本処理の手順を示すフローチャートである。電源ＯＮ時、デジタルカメラ１は、ユーザ操作によって選択されるモードに応じた処理を行う。すなわち、現在選択されているモードが撮影モードの場合には（ステップｆ１：Ｙｅｓ）、制御部２１は、撮像部１１を起動して画像を取り込み（ステップｆ３）、取り込んだ画像をライブビュー画像として表示部１５に表示する処理を行う（ステップｆ５）。そして、撮影指示がない間は（ステップｆ７：Ｎｏ）、ステップｆ３に戻って処理を繰り返し、ライブビュー画像を１フレーム毎に更新表示させる。そして、図示しないレリーズスイッチが押下されて撮影が指示された場合には（ステップｆ７：Ｙｅｓ）、撮影処理を行って、生成した撮影画像のデータを記録部１７に記録する（ステップｆ９）。
【００６２】
撮影画像の記録を終えると、制御部２１は、撮影画像を表示する処理（レックビュー）を行う（ステップｆ１１）。そして、制御部２１は、近接通信部１９を起動し（ステップｆ１３）、通信が確立されずに遮断されたままであれば（ステップｆ１５：Ｎｏ）、ステップｆ２５に移行する。一方、通信が確立した場合には（ステップｆ１５：Ｙｅｓ）、送信可否判定処理に移る（ステップｆ１７）。この送信可否判定処理は、図１８に示した処理手順と同様にして行われる。そして、送信制御部２１は、送信可否判定処理の結果送信可と判定された場合であって（ステップｆ１９：Ｙｅｓ）、通信が確立している場合に（ステップｆ２１：Ｙｅｓ）、ステップｆ９で撮影し、ステップｆ１１で表示部１５に表示した撮影画像を表示要求とともに外部機器９に送信する処理を行う（ステップｆ２３）。そして、その後ステップｆ２５に移行する。なお、この場合も、図１９（ｂ），（ｃ）に示したような送信画面が表示部１５に表示されるようになっている。ステップｆ２５では、制御部２１が近接通信部１９をＯＦＦし、その後ステップｆ４５に移行する。
【００６３】
一方、現在のモードが撮影モードではなく（ステップｆ１：Ｎｏ）、再生モードの場合には（ステップｆ２５：Ｙｅｓ）、制御部２１は、記録部１７に記録された撮影画像の再生処理を行い、撮影画像を順次再生画像として切り換えて表示部１５に表示する（ステップｆ２７）。このとき、過去に撮影された撮影画像を先ずサムネイル形式で一覧表示させることとしてもよい。そして、一覧の中から選択された撮影画像を再生画像として再生表示することとしてもよい。
【００６４】
続いて、制御部２１は、近接通信部１９を起動し（ステップｆ２９）、表示画像送信処理に移る（ステップｆ３１）。この表示画像送信処理は、図１６に示した処理手順と同様にして行われる。
【００６５】
また、基本処理の実行中に外部機器９との間で通信が確立した場合には（ステップｆ３３：Ｙｅｓ）、制御部２１が、通信が確立した外部機器９の種別を判定する（ステップｆ３５）。そして、識別した送信種別に従い、外部機器９に対して１枚ずつ撮影画像を送信する場合には（ステップｆ３７：Ｙｅｓ）、画像表示制御部２１１が、１枚の撮影画像を選択し、再生処理を行って表示部１５に表示する（ステップｆ３９）。選択する撮影画像は、撮影日時が最新の撮影画像や再生モードにおいて最先に再生した撮影画像、ユーザが選択した撮影画像等、適宜設定できる。そして、表示画像送信処理に移り（ステップｆ４１）、その後ステップｆ４５に移行して近接通信部１９をＯＦＦする。ステップｆ４１の表示画像送信処理は、図１６に示した処理手順と同様にして行われる。一方、送信種別に従い、外部機器９に対して複数枚の撮影画像を送信する場合には（ステップｆ３７：Ｎｏ）、記録画像送信処理に移り（ステップｆ４３）、その後ステップｆ４５に移行して近接通信部１９をＯＦＦする。ステップｆ４３の記録画像送信処理は、図１７に示した処理手順と同様にして行われる。
【００６６】
そして、ステップｆ４５では、基本処理を終了するか否かを判定する。例えば、ボタンスイッチ７の操作によって電源ＯＦＦが指示された場合には、本処理を終える（ステップｆ４５：Ｙｅｓ）。一方、終了しない場合には（ステップｆ４５：Ｎｏ）、ステップｆ１に戻る。
【００６７】
次に、外部機器９が行う処理手順について説明する。図２２は、外部機器９が行う基本処理の手順を示すフローチャートである。ここで、外部機器９は、電源が投入されていることを前提としている。
【００６８】
図２２に示すように、先ず通信信号送出制御部９７１が、近接通信部９６による定期的な通信信号の送出処理を開始する（ステップｇ１）。そして、デジタルカメラ１と外部機器９との間で通信が確立すると（ステップｇ２：Ｙｅｓ）、撮影画像を受信するまで待機状態となり、受信した場合には（ステップｇ３：Ｙｅｓ）、制御部９７は、要求内容を判定する（ステップｇ５）。そして、制御部９７は、記録要求とともに受信した撮影画像を記録部９５に記録する処理を行い（ステップｇ７）、その後ステップｇ２７に移行する。一方、制御部９７は、表示要求とともに受信した撮影画像を表示部９２に表示する処理を行い（ステップｇ９）、その後ステップｇ２７に移行する。ここで、表示要求とともに受信した撮影画像についても、記録部９５に記録するようにしてもよい。
【００６９】
一方、ユーザ操作によってテレビの視聴が指示された場合には（ステップｇ１１：Ｙｅｓ）、制御部９７は、ユーザが選択したチャンネルの放送番組を出力するための処理を行う（ステップｇ１３）。テレビの視聴終了が指示された場合には、ステップｇ２７に移行する。また、ユーザ操作によってインターネットの接続指示が入力された場合には（ステップｇ１５：Ｙｅｓ）、制御部９７は、ネットワークＮを介してユーザが指定したサイトに接続するための処理を行う（ステップｇ１７）。インターネットへの接続の切断が指示された場合には、ステップｇ２７に移行する。
【００７０】
また、ユーザ操作によってコンテンツの記録指示が入力された場合には（ステップｇ１９：Ｙｅｓ）、ユーザが指定したコンテンツデータを記録部９５に記録する処理を行う（ステップｇ２１）。ここで記録されるコンテンツデータは、例えば、ステップｇ１７で接続したインターネット上のサイトで公開・提供されているコンテンツデータを含む。このコンテンツデータを記録する場合には、接続しているサイトにコンテンツデータのダウンロード要求を送信し、指定したコンテンツデータを取得して記録部９５に記録する。なお、コンテンツデータの取得はインターネット上で提供されているものに限定されず、例えばメモリカードやＣＤ−ＲＯＭ等の情報記録媒体によって提供されるものであってもよい。そして、コンテンツデータの記録を終えると、ステップｇ２７に移行する。
【００７１】
また、ユーザ操作によってコンテンツデータの再生指示が入力された場合には（ステップｇ２３：Ｙｅｓ）、ユーザが指定したコンテンツデータを記録部９５から読み出して再生する処理を行う（ステップｇ２５）。ここで再生されるコンテンツデータは、インターネットに接続等してダウンロードし、ステップｇ２１で記録部９５に記録したコンテンツデータの他、ステップｇ３（Ｙｅｓ）〜ステップｇ９で受信し記録部９５に記録した撮影画像が含まれる。コンテンツデータの再生終了が指示された場合には、ステップｇ２７に移行する。
【００７２】
そして、ステップｇ２７では、基本処理を終了するか否かを判定し、終了する場合には（ステップｇ２７：Ｙｅｓ）、本処理を終える。一方、終了しない場合には（ステップｇ２７：Ｎｏ）、ステップｇ２に戻る。
【００７３】
以上説明したように、本実施の形態の通信システム１００によれば、電源がＯＮ状態であるデジタルカメラ１と、電源がＯＦＦ状態である外部機器９との間で通信が確立した場合に、デジタルカメラ１の電源を投入して起動するとともに、外部機器９に対する送信対象の撮影画像を選択して表示部１５に表示することができる。そして、この撮影画像の表示が行われた後、この表示した撮影画像を外部機器９に送信することができる。したがって、デジタルカメラ１の電源を自動的に投入して起動し、撮影画像の表示を行った後で、この撮影画像を外部機器９に送信することができる。この通信システム１００によれば、ケーブル接続等の作業を必要とせず、簡単且つ適切にデジタルカメラ１に記録されている撮影画像を外部機器９に送信することができるという効果を奏する。
【００７４】
また、デジタルカメラ１は、自機を起動して撮影画像を表示した後、ユーザによる送信確認指示を受け付けるようにしており、この送信確認指示があった場合に、表示している撮影画像を外部機器９に送信することができる。したがって、ユーザによる送信対象の撮影画像の確認を待って所望の撮影画像を外部機器９に適切に送信することができる。また、単にデジタルカメラ１と外部機器９との間で通信が確立しただけではデータの送受信は行われないので、外部機器９に対してデジタルカメラ１が誤って近づけられた場合等の誤送信を防止できる。
【００７５】
なお、図２０に示した外部機器９の送信種別が複数枚の撮影画像を送信する送信種別の場合の送信画面は一例であって、これに限定されるものではない。図２３は、送信画面の変形例を示す図である。図２３に示すように、記録部に記録されている撮影画像のサムネイルの一覧を表示した送信画面を表示するようにしてもよい。そして、このサムネイルの一覧の中からタッチ操作によってサムネイルが選択された場合に、その撮影画像のデータを外部機器に送信するようにしてもよい。例えば、サムネイルＳｆ，Ｓｇ，Ｓｈがタッチ操作された場合には、その３枚の撮影画像のデータが外部機器に送信される。
【００７６】
また、図２４〜２７は、他の変形例における送信画面の遷移例を示す図である。図２４に示す送信画面には、画面に向かって左端にトンネルを模した表示体Ｏ１が表示されており、例えばこの表示体Ｏ１の開口位置を送信開始位置とし、この送信開始位置と対向する画面の左端部を移動開始位置としている。各サムネイルＳｎ〜Ｓｓは、例えば、画面に向かって右方向に１列に配列されて移動開始位置から送信開始位置に向かって直線移動する。そして、送信開始位置に到達したサムネイルから順番に、その撮影画像のデータが外部機器に送信される。例えば、図２４（ａ）では、サムネイルＳｎが送信開始位置に到達して表示体Ｏ１の管内に進入する様子を示しており、このタイミングでサムネイルＳｎの撮影画像のデータが外部機器に送信される。
【００７７】
本変形例では、送信画面上に表示されたサムネイルをタッチ操作すると、データ送信が停止される。例えば、図２４（ａ）に示すように、サムネイルＳｐにタッチ操作したとする。このタッチ操作によって、サムネイルＳｐおよびこれより右方のサムネイルＳｑ〜Ｓｓの移動が停止され、サムネイルＳｐの撮影画像以前に撮影された撮影画像の送信が停止される。サムネイルＳｐよりも左方に位置しており、送信開始位置に未到達のサムネイルＳｏについては移動が継続され、その撮影画像は、送信開始位置に到達したタイミングで順次外部機器に送信される。これによれば、移動開始位置から送信開始位置へと移動している間は、その撮影画像のデータは外部機器に送信されず、ユーザは、この間に送信停止を指示できる。したがって、送信画面の表示内容を確認しながら所望の撮影画像を簡単で直感的な操作によって選択し、間違いなくデジタルカメラから外部機器へと撮影画像のデータを送信することができる。
【００７８】
さらに、本変形例では、送信画面のスライド操作によって、送信対象の撮影画像の指示を受け付ける。例えば、図２４（ｂ）に示す状態で、例えば図２５（ａ）に示すように、送信画面のサムネイルＳｐをタッチし、タッチしたままで移動方向に沿ってスライド操作（ドラッグ）したとする。この場合には、サムネイルＳｐ以降の撮影画像が送信対象とされ、このサムネイルＳｐを先頭とした移動が再開される（図２５（ｂ））。
【００７９】
あるいは、移動中のサムネイルに対するスライド操作によって、そのサムネイルよりも左方のサムネイルの撮影画像を送信対象から除外するようにしてもよい。例えば、図２６（ａ）に示す移動中のサムネイルＳｗに対してスライド操作したとする。この場合には、図２６（ｂ）に示すように、サムネイルＳｗよりも左方のサムネイルＳｔ，Ｓｕ，Ｓｖが移動経路上から脱落し、送信画面下方に消失する演出表示が行われる。これらのサムネイルＳｔ，Ｓｕ，Ｓｖは送信開始位置には到達せず、その撮影画像は外部機器に送信されない。そして、図２６（ｃ）に示すように、サムネイルＳｗおよびこれ以降のサムネイルの移動が再開する。これによれば、停止中のサムネイルに対するスライド操作によってサムネイルの移動を再開させるとともに、送信開始位置とスライド操作されたサムネイルとの間に位置するサムネイルの撮影画像を送信対象から除外することができる。
【００８０】
また、図２７（ａ）に示すように、サムネイルＳｘを下方にスライド操作した場合に、このサムネイルＳｐの撮影画像を送信対象から除外するようにしてもよい。このとき、図２７（ｂ）に示すように、サムネイルＳｘが移動経路上から脱落し、送信画面下方に消失する演出表示が行われる。したがって、サムネイルＳｘは送信開始位置には到達せず、その撮影データは外部機器に送信されない。すなわち、サムネイルに対するスライド操作がされた場合に、そのスライド方向に応じて送信対象の撮影画像を再設定するようにしてもよい。このように、本変形例によれば、外部機器に対して送信するものと送信しないものとが混在している場合であっても、より適切に外部機器に送信する撮影画像を取捨選択することができる。
【００８１】
ここで、近接通信部１８，９６間の近接無線通信は、非接触状態で行われ、高速且つ大容量のデータ転送が可能な近接無線通信であって、例えば３７５Ｍｂｐｓ以上の転送速度を実現可能な非接触の近接無線通信を想定している。これにより、デジタルカメラ１に記録されている撮影画像の全部または一部を瞬時に外部機器９に送信することができる。
【００８２】
以上、この発明の好適な実施の形態について説明したが、この発明は、上記したものに限定されず、発明の趣旨を逸脱しない範囲で適宜変更が可能である。
【００８３】
（変形例１）
図２８は、変形例１の通信システム１００ｂを構成するデジタルカメラ１ｂおよび外部機器９ｂの主要内部構成の一例を示すブロック図である。変形例１では、デジタルカメラ１ｂの近接通信部１９ｂから、その存在を報知し、外部機器９ｂの電源を投入するための通信信号が定期的に送出されるようになっており、この通信信号によって外部機器９ｂを自動的に電源投入できるようにしている。
【００８４】
一方、近接通信部９６ｂは、外部機器９ｂとの間で近接無線通信を行うためのものであり、アンテナによってデジタルカメラ１ｂの近接通信部１９ｂとの間で電波信号を送受信し、受信信号を復調処理するとともに、送信信号を変調処理する送受信回路等で構成される。この近接通信部９６ｂは、デジタルカメラ１から送出される通信信号を受信することでアンテナに生じた電磁誘導によって、停止状態または待機状態にある制御部９７ｂを起動する起動部９６１ｂを備えている。
【００８５】
これによれば、デジタルカメラ１ｂを外部機器９ｂに近づけることによって外部機器９ｂを起動し、起動した外部機器９ｂに対して実施の形態と同様に選択した送信対象の撮影画像を外部機器９ｂに送信することができる。
【００８６】
図２９および図３０は、変形例１においてデジタルカメラ１ｂと外部機器９ｂとの間で行われる通信の概要を説明する図である。変形例１では、外部機器９ｂは、デジタルカメラ１ｂから送出される通信信号を受信して自機を起動し、自機に記録されているコンテンツデータを表示部９２に表示する処理と、表示した撮影画像のデータをデジタルカメラ１ｂに送信する処理とを行う。
【００８７】
図２９に示すように、外部機器９ｂは、デジタルカメラ１ｂが送出している通信信号を受信すると（ｊ１１）、自機の電源を投入してデジタルカメラ１ｂに受信を通知する（ｊ１３）。これによって、デジタルカメラ１ｂと外部機器９ｂとの間で通信が確立する。通信を確立したデジタルカメラ１ｂは、外部機器９ｂに通信確立を通知し（ｊ１５）、これに応答して外部機器９ｂは、自機に記録されている所定のコンテンツデータを送信対象として選択し、表示部９２に表示する。送信するコンテンツデータは、例えば外部機器９ｂがインターネットに接続してダウンロードしたコンテンツデータである。
【００８８】
そして、外部機器９ｂは、このようにして表示部９２にコンテンツデータを表示した状態においてデジタルカメラ１ｂとの間で通信が確立した場合に、図３０に示すように、受信要求をデジタルカメラ１ｂに送信する（ｊ２１）。そして、この受信要求を受信したデジタルカメラ１ｂは、外部機器９ｂに待機状態を通知する（ｊ２３）。これに応答して外部機器９ｂは、表示中のコンテンツデータをデジタルカメラ１ｂに送信し（ｊ２５）、デジタルカメラ１ｂは、このコンテンツデータを受信する。
【００８９】
また、変形例１では、デジタルカメラ１ｂから常に通信信号を送出するのではなく、必要に応じて近接通信部１９ｂを起動して通信信号を送出するようにしている。すなわち、デジタルカメラ１ｂは、画像処理によってカメラ本体の変位を検出する画像変化検出部２５を備える。
【００９０】
画像変化検出部２５は、撮像部１１から出力される画像データをもとにフレーム間の動きを検出するためのものであり、１フレーム毎に撮像部１１によって取り込まれる各ライブビュー画像に映る同一の被写体位置の変化量を表す動きベクトルを算出する。そして、制御部２１ｂの通信信号送出制御部２１５ｂは、画像変化検出部２５によって算出された動きベクトルをもとにカメラ本体の移動方向を判定することで、カメラ本体の変位を検出する。
【００９１】
また、制御部２１ｂは、近接通信部１９ｂを介して定期的に通信信号を送出する通信信号送出制御部２１５ｂを含む。この通信信号送出制御部２１５ｂは、撮影モードにおいて撮影処理を行った後や、再生モードにおいて再生処理を行った後、あるいは、ユーザによる通信開始指示が入力された場合等の適宜のタイミングで、通信信号送出処理を行う。
【００９２】
図３１は、通信信号送出処理の手順を示すフローチャートである。この通信信号送出処理では先ず、変位検出部１３によってカメラ本体の変位を検出する（ステップｉ１）。そして、通信信号送出制御部２１５ｂが、変位検出部１３による変位検出の結果をもとにカメラ本体の動きを検出する。そして、カメラ本体の動きが予め設定された所定パターンに従った動きの場合に（ステップｉ３：Ｙｅｓ）、ステップｉ５に移行する。
【００９３】
すなわち、ステップｉ５では、画像変化検出部２５によって１フレーム毎に撮像部１１から取り込まれる画像間の動きを検出する。そして、通信信号送出制御部２１５ｂは、画像変化検出部２５による検出結果をもとにカメラ本体の動きを検出し、カメラ本体の動きが予め設定された所定パターンに従った動きの場合に（ステップｉ７：Ｙｅｓ）、近接通信部１９ｂを起動して通信信号の送出処理を開始する（ステップｉ９）。
【００９４】
これによれば、カメラ本体の変位を変位検出部１３および画像変化検出部２５の双方によって検出し、双方が所定パターンに従ったカメラ本体の動きを検出した場合に、通信信号の送出を開始することができる。これによれば、カメラ本体がユーザの意思で所定パターンに従って動かされない限りは外部機器９ｂとの通信が行われない。したがって、外部機器９ｂに対する通信信号の発信に伴う電力消費を低減させることができる。
【００９５】
なお、通信信号の送出処理を開始してから予め設定される所定の時間が経過した場合に通信信号の送出処理を終了するようにしてもよい。また、通信が一旦確立した後で通信が遮断された場合も同様に、遮断されてから所定の時間が経過した場合に通信信号の送出処理を終了するようにしてもよい。これによれば、デジタルカメラ１ｂの電力の消費をより低減できる。
【００９６】
（変形例２）
また、図１６のステップｄ３や図１７のステップｃ１５の送信可否判定処理で送信不可と判定した場合や、図１６のステップｄ７や図１７のステップｃ１９で通信が遮断していると判定した場合には、そのときに表示部１５に表示していた送信対象の撮影画像の外部機器９への送信を中断した状態となっている。このように中断があった場合に、送信しなかった撮影画像を記録部に記録しておくこととしてもよい。そして、外部機器との間で通信が確立した時点でこの撮影画像を再度表示部に表示し、外部機器に送信するようにしてもよい。
【００９７】
（変形例３）
また、デジタルカメラのモードが撮影モードでも再生モードでもなく、外部機器との間で通信が確立した状態でもない場合であって、表示部がＯＮ状態のときに、例えば変形例３で説明した送信しなかった撮影画像等を送信対象として自動的に選択して表示部に表示する処理を行い、デジタルカメラを外部機器に近づけるように促すメッセージを表示部に表示する処理を行って所定時間（例えば２分）待機するようにしてもよい。そして、この結果デジタルカメラが外部機器に近づけられて通信が確立した場合に、表示中の撮影画像を外部機器に送信するようにしてもよい。
【００９８】
図３２は、変形例３におけるデジタルカメラが行う基本処理の手順を示すフローチャートである。変形例３では、デジタルカメラの電源が投入された状態で所定の時間操作入力がない場合に、表示部をＯＦＦ状態にすることとしている。
【００９９】
図３２に示すように、デジタルカメラは、ユーザ操作によって選択されるモードに応じた処理を行う。すなわち、モードの選択操作が入力されて撮影モードに切り換えられた際（ステップｈ１：Ｙｅｓ）、制御部は、表示部がＯＦＦ状態であれば（ステップｈ３：Ｙｅｓ）、表示部を起動する（ステップｈ５）。そして、撮影モード処理に移る（ステップｈ７）。この撮影モード処理は、図２１のステップｆ３〜ｆ２５と同様にして行われる。そして、その後ステップｈ４１に移行する。
【０１００】
一方、ユーザ操作によってモードの選択操作が入力されて再生モードに切り換えられた際（ステップｈ９：Ｙｅｓ）、制御部は、表示部がＯＦＦ状態であれば（ステップｈ１１：Ｙｅｓ）、表示部を起動する（ステップｈ１３）。そして、再生モード処理に移る（ステップｈ１５）。この再生モード処理は、図２１のステップｆ２７〜ｆ３１と同様にして行われる。そして、その後ステップｈ４１に移行する。
【０１０１】
また、外部機器との間で通信が確立した際（ステップｈ１７：Ｙｅｓ）、制御部は、表示部がＯＦＦ状態であれば（ステップｈ１９：Ｙｅｓ）、表示部を起動する（ステップｈ２１）。そして、通信モード処理に移る（ステップｈ２３）。この通信モード処理は、図２１のステップｆ３５〜ｆ４５と同様にして行われる。そして、その後ステップｈ４１に移行する。
【０１０２】
そして、デジタルカメラのモードが撮影モードでなく（ステップｈ１：Ｎｏ）、再生モードでなく（ステップｈ９：Ｎｏ）、通信が遮断されている場合であって（ステップｈ１７：Ｎｏ）、表示部がＯＦＦ状態でない場合には（ステップｈ２５：Ｎｏ）、制御部は、中断された通信の有無を判定し、ある場合には（ステップｈ２７：Ｙｅｓ）、ステップｈ３５に移行する。また、制御部は、前回の撮影処理からの経過時間が短く、撮影直後と判定すると（ステップｈ２９：Ｙｅｓ）、ステップｈ３５に移行する。また、制御部は、再生時間が所定時間以上であって、ユーザが長く閲覧していた撮影画像がある場合には（ステップｈ３１：Ｙｅｓ）、ステップｈ３５に移行する。また、制御部は、撮影画像の再生中において、変位検出部による変位検出の結果をもとにカメラ本体が所定時間以上停止したままと判定した場合には（ステップｈ３３：Ｙｅｓ）、ステップｈ３５に移行する。
【０１０３】
すなわち、ステップｈ３５では、制御部は、近接通信部を起動する。そして、外部機器との間で通信が確立した場合には（ステップｈ３７：Ｙｅｓ）、制御部は、通信が確立した外部機器に対し、該当する撮影画像を表示要求とともに送信する（ステップｈ３９）。具体的には、ステップｈ２７からの分岐であれば、そのときに表示していた送信対象の撮影画像を該当する撮影画像とする。ステップｈ２９からの分岐であれば、その撮影処理で撮影された撮影画像を該当する撮影画像とする。ステップｈ３１からの分岐であれば、長時間閲覧した撮影画像を該当する撮影画像とする。ステップｈ３３からの分岐であれば、再生中の撮影画像を該当する撮影画像とする。そして、制御部は、近接通信部をＯＦＦし（ステップｈ４０）、ステップｈ４１に移行する。
【０１０４】
すなわち、ステップｈ４１では、基本処理を終了するか否かを判定する。例えば、電源ＯＦＦが指示された場合には、本処理を終える（ステップｈ４１：Ｙｅｓ）。一方、終了しない場合には（ステップｈ４１：Ｎｏ）、ステップｈ１に戻る。
【０１０５】
（他の変形例）
また、上記した実施の形態では、外部機器データ１７１として、通信相手の外部機器と対応付けて送信種別を予め設定しておく構成について説明したが、これに限定されるものではない。例えば、通信が確立した際に、外部機器が自機の状況に応じた送信種別をデジタルカメラに送信するようにしてもよい。例えば、外部機器が起動しているアプリケーションに応じて送信種別を送信するように構成し、メールソフトやブラウザソフトの起動中であれば複数枚の撮影画像を送信する送信種別を送信する一方、印刷ソフトが起動中であれば、１枚の撮影画像を送信する送信種別を送信するといったことが可能である。
【０１０６】
また、上記した実施の形態では、第１の機器としてデジタルカメラを例に挙げて説明したが、デジタルカメラに限らず、例えば携帯電話機や携帯型のゲーム機、ノートパソコン、携帯型の音楽プレーヤ等、他の機器との間でデータの送受が可能な各種の携帯機器に適用できる。例えば、携帯型の音楽プレーヤにおいて、外部機器との間で音楽データを送受する場合に適用可能である。
【０１０７】
また、上記した実施の形態では、コンテンツデータの一例として撮影画像を送受する場合について説明したが、前述の音楽データや音声データ等の音データをコンテンツデータとして送受する場合にも同様に適用できる。
【図面の簡単な説明】
【０１０８】
【図１】デジタルカメラの前面側を示す概略斜視図である。
【図２】デジタルカメラの背面側を示す概略斜視図である。
【図３】デジタルカメラと外部機器とが通信を行う様子を側面側から示した説明図である。
【図４】デジタルカメラとテレビとが通信を行う様子を側面側から示した説明図である。
【図５】デジタルカメラと外部機器との間で行われる通信の概要を説明する図である。
【図６】デジタルカメラと外部機器との間で行われる通信の概要を説明する他の図である。
【図７】通信システムを構成するデジタルカメラおよび外部機器の主要内部構成の一例を示すブロック図である。
【図８】変位検出部によるカメラ本体の変位検出を説明するための図である。
【図９】加速度センサを用いたカメラ本体の移動量の検出原理の一例を説明する図である。
【図１０−１】加速度センサを用いたカメラ本体の移動量の検出原理を説明する他の図である。
【図１０−２】加速度センサを用いたカメラ本体の移動量の検出原理を説明する他の図である。
【図１０−３】加速度センサを用いたカメラ本体の移動量の検出原理を説明する他の図である。
【図１１】角速度センサを用いたカメラ本体の回転量の検出原理を説明する図である。
【図１２】角速度センサを用いたカメラ本体の回転量の検出原理を説明する他の図である。
【図１３】タッチパネルの検出原理を説明する図である。
【図１４】タッチパネルの検出原理を説明する他の図である。
【図１５】送信処理の手順を示すフローチャートである。
【図１６】表示画像送信処理の手順を示すフローチャートである。
【図１７】記録画像送信処理の手順を示すフローチャートである。
【図１８】送信可否判定処理の手順を示すフローチャートである。
【図１９】外部機器の送信種別が１枚ずつ撮影画像を送信する送信種別の場合に表示部に表示される送信画面の遷移例を示す図である。
【図２０】外部機器の送信種別が複数枚の撮影画像を送信する送信種別の場合に表示部に表示される送信画面の遷移例を示す図である。
【図２１】デジタルカメラが行う基本処理の手順を示すフローチャートである。
【図２２】外部機器が行う基本処理の手順を示すフローチャートである。
【図２３】送信画面の変形例を示す図である。
【図２４】他の変形例における送信画面の遷移例を示す図である。
【図２５】他の変形例における送信画面の遷移例を示す図である。
【図２６】他の変形例における送信画面の遷移例を示す図である。
【図２７】他の変形例における送信画面の遷移例を示す図である。
【図２８】変形例１の通信システムを構成するデジタルカメラおよび外部機器の主要内部構成の一例を示すブロック図である。
【図２９】変形例１においてデジタルカメラと外部機器との間で行われる通信の概要を説明する図である。
【図３０】変形例１においてデジタルカメラと外部機器との間で行われる通信の概要を説明する図である。
【図３１】通信信号送出処理の手順を示すフローチャートである。
【図３２】変形例３におけるデジタルカメラが行う基本処理の手順を示すフローチャートである。
【符号の説明】
【０１０９】
１      デジタルカメラ
３      カメラ本体
４      撮像レンズ
５      レリーズスイッチ
７      ボタンスイッチ
８      グリップ部
１１      撮像部
１２      画像処理部
１３      変位検出部
１４      操作部
１５      表示部
１６      タッチパネル
１７      記録部
１７１      外部機器データ
１８      時計部
１９      近接通信部
２０      起動部
２１      制御部
２１１      画像表示制御部
２１３      送信制御部
９      外部機器
９１      操作部
９２      表示部
９３      通信部
９４      放送受信部
９５      記録部
９６      近接通信部
９７      制御部
９７１      通信信号送出制御部
１００      通信システム
【図１】
2010045686.tif 000003
【図２】
2010045686.tif 000004
【図３】
2010045686.tif 000005
【図４】
2010045686.tif 000006
【図５】
2010045686.tif 000007
【図６】
2010045686.tif 000008
【図７】
2010045686.tif 000009
【図８】
2010045686.tif 000010
【図９】
2010045686.tif 000011
【図１０−１】
2010045686.tif 000012
【図１０−２】
2010045686.tif 000013
【図１０−３】
2010045686.tif 000014
【図１１】
2010045686.tif 000015
【図１２】
2010045686.tif 000016
【図１３】
2010045686.tif 000017
【図１４】
2010045686.tif 000018
【図１５】
2010045686.tif 000019
【図１６】
2010045686.tif 000020
【図１７】
2010045686.tif 000021
【図１８】
2010045686.tif 000022
【図１９】
2010045686.tif 000023
【図２０】
2010045686.tif 000024
【図２１】
2010045686.tif 000025
【図２２】
2010045686.tif 000026
【図２３】
2010045686.tif 000027
【図２４】
2010045686.tif 000028
【図２５】
2010045686.tif 000029
【図２６】
2010045686.tif 000030
【図２７】
2010045686.tif 000031
【図２８】
2010045686.tif 000032
【図２９】
2010045686.tif 000033
【図３０】
2010045686.tif 000034
【図３１】
2010045686.tif 000035
【図３２】
2010045686.tif 000036